(57)【要約】      （修正有）【課題】組み立てが煩雑な螺子嵌合や、離脱するおそれのある永久磁石を使用しないで、把持部材と箸先部材とを容易に着脱することができ、しかも両者を分離することにより、コンパクトに収納することができる組立式箸を提供する。【解決手段】合成樹脂からなる把持部材２と箸先部材３とをたがいに着脱可能に結合させてなる組立式箸１であって、把持部材２が、箸先部材３との結合部に螺旋状ガイドが形成された凸部を有し、箸先部材３が、把持部材２との結合部に凸部が挿入可能な凹部を有し、凹部の内面に把持部材２の凸部に形成された螺旋状ガイドに対応する形状を有する螺旋状ガイド溝が形成されていることを特徴とする。【選択図】図１
0003139742.tif 000002
【実用新案登録請求の範囲】
【請求項１】
合成樹脂からなる把持部材と箸先部材とをたがいに着脱可能に結合させてなる組立式箸であって、前記把持部材が、箸先部材との結合部に螺旋状ガイドが形成された凸部を有し、前記箸先部材が、把持部材との結合部に前記凸部が挿入可能な凹部を有し、前記凹部の内面に把持部材の凸部に形成された螺旋状ガイドに対応する形状を有する螺旋状ガイド溝が形成されていることを特徴とする組立式箸。
【請求項２】
把持部材および箸先部材の表面上に銀を含有する抗菌層が形成されている請求項１記載の組立式箸。
【考案の詳細な説明】
【技術分野】
【０００１】
本考案は、組立式箸に関する。さらに詳しくは、例えば、把持部材と箸先部材とを容易に着脱することができ、しかも両者を分離することにより、コンパクトに収納することができる組立式箸に関する。
【背景技術】
【０００２】
把持部と箸先部とを着脱可能とした箸としては、例えば、棒部材と筒部材とを備え、棒部材の基端部に雄ネジ部が形成され、筒部材の先端内周部に雌ネジ部が形成され、棒部材と筒部材とが螺合するように構成された箸が提案されている（例えば、特許文献１参照）。しかし、この箸には、螺子嵌合が使用されているため、把持部と箸先部との一体化が煩雑であるという欠点がある。
【０００３】
そこで、螺子嵌合を使用しないで把持部と箸先部との着脱を可能とした箸として、柄の部分および先端部分で構成され、柄の部分の下端に形成された穴に棒状の永久磁石が配設された箸（例えば、特許文献２参照）、把持部と食物挟持部とからなり、把持部と食物挟持部とを永久磁石によって吸着させた組立箸（例えば、特許文献３参照）などのように、永久磁石によって把持部材と箸先部材とを結合させる箸が提案されている。しかし、これらの箸には、永久磁石を必要とするので、その構造が複雑となるばかりでなく、例えば、箸を洗浄しているときなどに永久磁石が離脱するおそれがあり、この永久磁石が離脱し紛失したとき、もはやその箸を使用することができなくなるという欠点がある。
【０００４】
【特許文献１】実用新案登録第３１０４６３９号公報
【特許文献２】特開２００７−２８２９０４号公報
【特許文献３】実用新案登録第３１３４０２５号公報
【考案の開示】
【考案が解決しようとする課題】
【０００５】
本考案は、前記従来技術に鑑みてなされたものであり、従来のように組み立てが煩雑な螺子嵌合や、離脱するおそれのある永久磁石を使用しないで、把持部材と箸先部材とを容易に着脱することができ、しかも両者を分離することにより、コンパクトに収納することができる組立式箸を提供することを課題とする。本考案は、また、例えば、組立式箸を使用した後、洗浄するまでの間に組立式箸に付着している食物などの汚れに菌が繁殖するのを抑制することができる組立式箸を提供することを課題とする。
【課題を解決するための手段】
【０００６】
本考案は、合成樹脂からなる把持部材と箸先部材とをたがいに着脱可能に結合させてなる組立式箸であって、前記把持部材が、箸先部材との結合部に螺旋状ガイドが形成された凸部を有し、前記箸先部材が、把持部材との結合部に前記凸部が挿入可能な凹部を有し、前記凹部の内面に把持部材の凸部に形成された螺旋状ガイドに対応する形状を有する螺旋状ガイド溝が形成されていることを特徴とする組立式箸に関する。また、本考案は、把持部材および箸先部材の表面上に銀を含有する抗菌層が形成されている前記組立式箸に関する。
【考案の効果】
【０００７】
本考案の組立式箸は、合成樹脂からなる把持部材と箸先部材とをたがいに着脱可能に結合させてなる組立式箸であり、前記把持部材が、箸先部材との結合部に螺旋状ガイドが形成された凸部を有し、前記箸先部材が、把持部材との結合部に前記凸部が挿入可能な凹部を有し、前記凹部の内面に把持部材の凸部に形成された螺旋状ガイドに対応する形状を有する螺旋状ガイド溝が形成されているので、従来のように組み立てが煩雑な螺子嵌合や、離脱するおそれのある永久磁石を使用しなくても把持部材と箸先部材とを容易に着脱することができ、しかも両者を分離することにより、コンパクトに収納することができるという効果を奏する。
【０００８】
本考案の組立式箸は、さらに把持部材および箸先部材の表面上に銀を含有する抗菌層が形成されている場合には、例えば、組立式箸を使用した後、洗浄するまでの間に組立式箸に付着している食物などの汚れに菌が繁殖するのを抑制することができるという効果を奏する。
【考案を実施するための最良の形態】
【０００９】
以下に本考案の組立式箸を図面に基づいて説明するが、本考案は、かかる図面に記載の実施態様のみに限定されるものではない。
【００１０】
図１は、本考案の組立式箸の一実施態様を示す斜視図である。図１において、組立式箸１は、ヒトの手で組立式箸１を支えるための把持部材２および食物などを挟持するための箸先部材３で構成されている。把持部材２および箸先部材３は、いずれも合成樹脂で構成されており、たがいに着脱可能に結合されている
【００１１】
図２は、本考案の組立式箸の把持部材２の一実施態様を示す斜視図である。把持部材２は、箸先部材３との結合部に凸部４を有し、凸部４の表面には、螺旋状ガイド５が形成されている。
【００１２】
図３は、本考案の組立式箸の箸先部材３の一実施態様の縦断面図である。箸先部材３は、把持部材２との結合部に前記凸部４が挿入可能な凹部６を有し、凹部６の内面に把持部材２の凸部４に形成された螺旋状ガイド５に対応する形状を有する螺旋状ガイド溝７が形成されている。
【００１３】
組立式箸１の太さ、長さおよび形状は、特に限定されず、一般に使用されている箸と同様であればよい。把持部材２および箸先部材３の各接合部における外径は、図１に示されている実施態様では、段差がないようにするために同一となるように調整されているが、必要により異なっていてもよい。
【００１４】
把持部材２および箸先部材３を構成する合成樹脂としては、例えば、ＡＳ樹脂、ポリスチレン、ポリプロピレン、ポリエステルなどが挙げられる。これらのなかでは、機械的強度、成形性および耐熱性を高める観点から、ＡＳ樹脂およびポリスチレンが好ましく、さらに高級感を付与する観点からＡＳ樹脂が好ましい。合成樹脂には、所望の色彩を付与するために、食品衛生法上認可される顔料などの着色剤が分散されていてもよい。
【００１５】
把持部材２の凸部４は、把持部材２および／または箸先部材３を回転させることによって把持部材２と箸先部材３とを一体化させることができるようにするために、円柱形状を有している。把持部材２の凸部４には、箸先部材３に設けられている凹部６への挿入が容易となるようにするために、テーパが形成されていてもよい。
【００１６】
把持部材２の凸部４の長さは、把持部材２と箸先部材３との結合強度を高める観点から、好ましくは８ｍｍ以上、より好ましくは１０ｍｍ以上であり、把持部材２と箸先部材３との一体化を容易にする観点から、好ましくは２０ｍｍ以下、より好ましくは１８ｍｍ以下である。
【００１７】
把持部材２の凸部４の直径は、凸部４の機械的強度を高める観点から、３ｍｍ以上であることが好ましく、その直径の上限値は、箸先部材２の凹部６が設けられている部分が充分な機械的強度を有するように設定されることが好ましい。把持部材３の凹部６が設けられている部分の肉厚は、把持部材２と箸先部材３との結合部におけるそれぞれの直径にもよるが、把持部材３の凹部６を構成している部分の機械的強度を高める観点から、好ましくは１ｍｍ以上、より好ましくは１．５ｍｍ以上である。
【００１８】
把持部材の凸部４には、螺旋状ガイド５が形成されている。螺旋状ガイド５の長さは、把持部材２と箸先部材３との結合強度を高める観点から、好ましくは５ｍｍ以上、より好ましくは６ｍｍ以上であり、把持部材２および／または箸先部材３を軽く回転させるだけ把持部材２と箸先部材３とが容易に外れるようにする観点から、好ましくは１２ｍｍ以下、より好ましくは１０ｍｍ以下である。螺旋状ガイド５は、凸部４に好ましくは１〜３ヵ所、より好ましくは１〜２ヵ所、さらに好ましくは２ヵ所設けられていることが望ましい。
【００１９】
図２において、凸部４の先端部から螺旋状ガイド５までの長さｐは、螺旋状ガイド５を箸先部材３の凹部６に容易に挿入することができるようにする観点から、好ましくは１ｍｍ以上、より好ましくは２ｍｍ以上であり、凸部４の長さが長すぎないようにする観点から、好ましくは５ｍｍ以下、より好ましくは４ｍｍ以下である。螺旋状ガイド５は、凸部４の根元まで形成されていてもよく、あるいはその根元まで形成されていなくてもよい。
【００２０】
凸部４の表面上からの螺旋状ガイド５の高さは、特に限定されないが、把持部材２と箸先部材３との一体化を容易にする観点から、通常、０．３〜０．８ｍｍ程度であることが好ましい。螺旋状ガイド５の幅は、螺旋状ガイド５の機械的強度を高める観点および把持部材２と箸先部材３との一体化を容易にする観点から、０．８〜１．５ｍｍ程度であることが好ましい。また、螺旋状ガイド５の断面形状としては、例えば、円形状、楕円形状、三角形状、四角形状などが挙げられる。
【００２１】
螺旋状ガイド５と凸部４の垂直面との間の角度ｑは、把持部材２および／または箸先部材３を小さい回転角度で回転させるだけで把持部材２と箸先部材３とを容易に一体化させることができるようにする観点および把持部材２と箸先部材３とを一体化させた後、把持部材２と箸先部材３とが容易に外れないようにする観点から、４５〜７５度であることが好ましい。
【００２２】
図３において、箸先端部３の凹部６は、把持部材２の凸部４を完全に挿入することができる内径および深さを有する。箸先端部３の凹部６には、把持部材２の凸部４に設けられている螺旋状ガイド５を挿入するための螺旋状ガイド溝７が設けられている。螺旋状ガイド溝７は、把持部材２の凸部４に設けられている螺旋状ガイド５に対応した形状を有する。
【００２３】
本考案の組立式箸１は、合成樹脂からなる把持部材２と箸先部材３とをたがいに着脱可能に結合させたものであるので、金属製の箸のような冷ややかな口当たりがなく、木製の箸と同様の口当たりを与えるものである。
【００２４】
また、本考案の組立式箸１において、把持部材２が箸先部材３との結合部に螺旋状ガイド５が形成された凸部４を有し、箸先部材３が把持部材２との結合部に凸部４が挿入可能な凹部６を有し、凹部６の内面に把持部材２の凸部４に形成された螺旋状ガイド５に対応する形状を有する螺旋状ガイド溝７が形成されているので、従来のように組み立てが煩雑な螺子嵌合や、離脱するおそれのある永久磁石を使用しないで、把持部材２と箸先部材３とを容易に着脱することができ、しかも両者を分離することにより、コンパクトに収納することができる。
【００２５】
本考案の組立式箸１は、把持部材２および箸先部材３の表面上に銀を含有する抗菌層（図示せず）が形成されていることが好ましい。このように抗菌層が把持部材２および箸先部材３の表面上に形成されている場合には、例えば、本考案の組立式箸１を使用した後、洗浄するまでの間に組立式箸１に付着している食物などの汚れに菌が繁殖するのを抑制することができるという利点がある。
【００２６】
抗菌層は、例えば、銀粉を含有する塗料を把持部材２および箸先部材３の表面上に塗布することにより、容易に形成することができる。抗菌層に含まれる銀の量は、抗菌層に抗菌性が付与される量であればよい。
【図面の簡単な説明】
【００２７】
【図１】本考案の組立式箸の一実施態様を示す斜視図である。
【図２】本考案の組立式箸の把持部材の凸部が形成されている部分の一実施態様を示す斜視図である。
【図３】本考案の組立式箸の箸先部材の一実施態様の縦断面図である。
【符号の説明】
【００２８】
１    組立式箸
２    把持部材
３    箸先部材
４    凸部
５    螺旋状ガイド
６    凹部
７    螺旋状ガイド溝
【図１】
0003139742.tif 000003
【図２】
0003139742.tif 000004
【図３】
0003139742.tif 000005